(57)【要約】【課題】通常の装備のままで、医療機関で処方された処方箋による薬局での業務を、正確で迅速に省力化しておこなうことができる薬剤業務支援システムを提供すること。【解決手段】処方箋４に、それぞれの患者２に対応した所定の処方箋記載項目１１が文字情報として記載すると共に、文字情報を変換した二次元バーコード１３を付与する。【選択図】  図１
2004318374.tif 000002
【特許請求の範囲】
【請求項１】
医療機関が端末装置により作成した処方箋について、薬局に設けられた端末装置で前記処方箋を読み取り、その結果に基づいて薬剤を調剤して患者に提供する薬剤支援システムであって、
前記処方箋には、それぞれの患者に対応した所定の処方箋記載項目が文字情報として記載されていると共に、前記文字情報を変換した二次元バーコードが付与されていることを特徴とする薬剤情報処理システム。
【請求項２】
前記処方箋に記載されている前記処方箋記載項目には、それぞれインデックスが付与されていることを特徴とする請求項１記載の薬剤情報処理システム。
【請求項３】
前記処方箋は、印刷物として出力されることを特徴とする請求項１または２記載の薬剤情報処理システム。
【請求項４】
前記薬局には、前記処方箋に記載されている前記二次元バーコードを読み取るためのバーコードリーダが配置されており、該バーコードリーダで読み取られた二次元バーコードの情報は、変換手段により文字情報に変換されることを特徴とする請求項１または２記載の薬剤情報処理システム。
【請求項５】
前記薬局では、前記処方箋の薬剤情報を携帯端末に送信し、かつ、調剤した薬剤が適切であるか否かを前記携帯端末に設けられているバーコードリーダで薬剤棚に設けられているバーコードを読取ることにより確認していることを特徴とする請求項１または２記載の薬剤情報処理システム。
【発明の詳細な説明】
【０００１】
【発明の属する技術分野】
本発明は、診療所又は病院の医療機関で患者に対して作成された処方箋を患者から受取った薬局が、処方箋にしたがって迅速・正確に薬剤を調剤して患者に手渡すための薬剤情報処理システムに関する。
【０００２】
【従来の技術】
通常、医療の分野では、患者に対して医療機関（診療所、病院）で作成した処方箋の電子データをインターネット等の通信で送る方法は、患者を特定の調剤薬局へ誘導をするものとなり行政機関が禁止している。また、患者のプライバシー保護のためにも、患者に関する医療機関内の電子データを、当該医療機関の外への持ち出すことは禁止している。そのため、患者情報の漏洩の恐れがあるインターネット等のネットワークを用いて、患者に対して処方した処方箋のデータを、外部の調剤機関（調剤薬局、以下単に薬局と言う）に直接送信しないようにしている。
【０００３】
したがって、医療機関で診察を受けた外来患者の診察結果に応じた薬の受け取りは、医療機関で、医師がカルテに病名、処方を記入し、そのカルテを基に、会計担当者が医事コンピュータに入力して処方箋を印刷して患者に交付するのが一般的に行われている。
【０００４】
患者はその処方箋を、例えば、病院の近隣にある任意の薬局に持参し処方を依頼する。薬局では、処方箋の有効期限は４日間であるので、処方箋が有効期限内であるか否かを確認し、有効期限内であれば、処方箋に従って調剤作業に入る。
調剤作業は、処方箋に記載されている薬を薬棚より探し、処方箋記載の薬名称と一致しているか確認して調剤する。また、薬局員は調剤事務用コンピュータに処方内容を入力して会計処理などの業務を行っている。薬局でのこれらの入力作業は、小規模な薬局においては大きな業務の負担となっていた。
【０００５】
【発明が解決しようとする課題】
しかしながら、薬局では、上述のように薬局員が処方箋に記載されている文字情報を読取って、それに基づいて調剤したり、調剤事務用コンピュータに処方内容を入力して会計処理等をキー操作による入力をしているので、以下のような問題点が存在している。
【０００６】
（１）有効期限を過ぎた処方箋による薬剤の調剤は禁止されているが、薬局員の錯誤等による発行日付の確認洩れで、薬剤を調剤処理してしまう危険性がある。
【０００７】
（２）処方箋が手書きであるため記載文字が判読しにくい場合や、印刷が不鮮明であったり汚れてしまった場合には、薬局員は医師に確認を行わなければならず、患者は薬材を受け取るまで長い時間待たされる。
【０００８】
（３）薬局員が処方箋に記載されている薬剤を薬剤棚より探し、処方箋に記載の薬名称と一致しているか否かの確認作業は人手によるために、薬名称がまぎらわしいものや長いものである場合、間違いやすく、確認作業に時間がかかる。
【０００９】
（４）患者が処方箋の記載内容に手を加え（例えば、睡眠薬の数量を書き換える）改ざんし、不当に薬を入手する偽造事件が過去に発生しているが、それを防止することが困難である。
【００１０】
（５）薬局での処方箋の調剤事務用コンピュータ（レセプト処理パソコン）への入力の際に、薬局員のキー操作ミスにより薬剤名の入力間違いや投薬量の入力間違いなどが発生する危険性がある。
【００１１】
これらの状況から、薬局では、（イ）調剤作業の負荷軽減、作業の迅速化したい。（ロ）処方箋の改ざん防止を発見したい。（ハ）処方箋を患者から受付けた際に、処方箋データや患者情報のキー入力の処理省力化と入力ミス削減したい。等の要望が強い。
【００１２】
本発明はこれらの事情に基づいてなされたもので、通常の装備のままで、医療機関で処方された処方箋による薬局での業務を、正確で迅速に省力化しておこなうことができる薬剤業務支援システムを提供することを目的としている。
【００１３】
【課題を解決するための手段】
本発明によれば、医療機関が端末装置により作成した処方箋について、薬局に設けられた端末装置で前記処方箋を読み取り、その結果に基づいて薬剤を調剤して患者に提供する薬剤支援システムであって、
前記処方箋には、それぞれの患者に対応した所定の処方箋記載項目が文字情報として記載されていると共に、前記文字情報を変換した二次元バーコードが付与されていることを特徴とする薬剤情報処理システムである。
【００１４】
また本発明によれば、前記処方箋に記載されている前記処方箋記載項目には、それぞれインデックスが付与されていることを特徴とする薬剤情報処理システムである。
【００１５】
また本発明によれば、前記処方箋は、印刷物として出力されることを特徴とする薬剤情報処理システムである。
【００１６】
また本発明によれば、前記薬局には、前記処方箋に記載されている前記二次元バーコードを読み取るためのバーコードリーダが配置されており、該バーコードリーダで読み取られた二次元バーコードの情報は、変換手段により文字情報に変換されることを特徴とする薬剤情報処理システムである。
【００１７】
また本発明によれば、前記薬局では、前記処方箋の薬剤情報を携帯端末に送信し、かつ、調剤した薬剤が適切であるか否かを前記携帯端末に設けられているバーコードリーダで薬剤棚に設けられているバーコードを読み取ることにより確認していることを特徴とする薬剤情報処理システムである。
【００１８】
【発明の実施の形態】
以下、本発明の実施の形態を図面を参照して説明する。
【００１９】
図１は、本発明の一実施の形態を示す、患者に対する処方箋と薬剤の大筋の流れを示す模式図である。医療機関１では患者２の診療結果に応じて、薬剤３の処方箋４を作成して印刷された処方箋４を患者２に渡す。患者２は受取った処方箋４を持参して薬局３に行き処方箋４を提出する。薬局３は、処方箋４の有効性を確認して、処方箋４にしたがって薬剤３を調剤して患者２に手渡す。
【００２０】
次に、医療機関１と薬局３での個々のシステムについて説明する。
【００２１】
図２は、医療機関での処方箋を作成するシステムについて説明図である。医療機関１には外来患者２の処方箋４の発行のために、種々の病院外への院外処方箋発行システムが設けられている。それらのシステムでの処方箋４の発行の機器の構成の一例は、医師の診察結果により処方箋４に関する情報が入力されている院内業務管理用ホストコンピュータ６に、バーコード化ソフトが組み込まれた処方箋発行業務用パソコン７が接続されている。この処方箋発行業務用パソコン７には出力用プリンタ８が接続されている。
【００２２】
これらの構成により、院内業務管理用ホストコンピュータ（端末装置）６では、図３に示すように、処方箋記載項目１１に対して、患者２に対応したそれぞれのデータを入力し、更に、処方箋記載項目１１毎にインデックス１２を付与する。インデックス１２が付与された患者２のデータは文字情報として処方箋発行業務用パソコン７に伝送される。処方箋発行業務用パソコン７では文字情報に、この文字情報に対応した二次元バーコード１３を付加する。二次元バーコード１３はバーコード化ソフトにより変換し、それにより、図４（ａ）〜（ｃ）に詳細を示すような文字情報に対応した二次元バーコード１３が、それぞれ、医療機関１の任意の選択により所定の位置に配置された処方箋４が作成される。作成結果は出力用プリンタ８により印刷物として患者２に渡される。
【００２３】
次に、薬局３での処方箋４と薬剤３の調剤に関するシステムについて説明する。
【００２４】
薬局３においての業務は、窓口部門と調剤部門に大別される。図５は窓口部門の機器の構成を示すブロック図である。患者２が提出して処方箋４に記載された二次元バーコード１３を読取るための二次元バーコードリーダ３１には、二次元バーコード１３によるデータを文字情報に変換処理するための小型パソコン（変換手段）３２が接続されている。この小型パソコン３２にはレセプト処理用パソコン３３が接続されている。また、レセプト処理用パソコン３３には記録用データベースを格納するメモリ３４が接続されている。
【００２５】
これらの構成により、図６に示すように、二次元バーコードリーダ３１で読み取られた処方箋４に記載された二次元バーコード１３は、小型パソコン３２により二次元バーコード１３のデータを文字情報に変換処理される。文字情報に変換された処方箋４はレセプト処理用パソコン３３に伝送されて、インデックス１２にしたがって処方箋記載項目１１毎に表示される。この二次元バーコードリーダ３１での読み込みから、薬局３内のレセプト処理パソコン３３への表示は、瞬時に取り込まれて処理される。また、インデックス１２によりレセプトコ処理パソコン３３のＣＲＴの表示仕様に合わせて処方箋４のデータを自由に並べ替えることができる。
【００２６】
このように、処方箋４の情報の変換については、医療機関１と薬局３では、共に単に二次元バーコード１３と文字情報との変換をおこなっているので、何れでも、パソコンに特殊のソフト等を備えている必要がなく、例えば、小さな薬局３でも通常使用しているパソコンをそのまま使用することが出来る。
【００２７】
レセプトコ処理パソコン３３の表示画面を見て、薬局員は表示された文字情報と、患者２が提出した処方箋４の文字情報とを比較して処方箋４が改ざんや偽造されていないか否かを確認する。
【００２８】
図７に示すように、確認された処方箋４のデータはレセプト処理パソコン３３から調剤室内の携帯端未３６に送信される。薬局員は携帯端末３６の表示を見て薬剤棚３７から処方箋４（携帯端未３６の表示）で指定された薬剤３を取り出して調剤作業を行う。なお、携帯端未３６にはバーコードリーダ３６ａが付属して設けられており、薬局員が処方箋４の文字情報により該当する薬剤３を薬剤棚３７で見つけた場合、バーコードリーダで薬剤棚３７のバーコード３８を読み込むことにより、処方箋４で指示する薬剤３であることを照合確認できる。それにより、薬剤３の間違えを防止することができる。
【００２９】
次に、図８のフロー図を参照して、上述の構成による医療機関１と薬局３とを通しての手順について説明する。図８のフロー図で、Ａの領域内は医療機関１のフローであり、Ｂの領域内は薬局３のフローである。なお、装置の構成については、図２、図５および図７に用いた構成と符号とを援用している。
【００３０】
医療機関１では、まず、院内業務管理用ホストコンピュータ６により作成された院外処方箋発行システムにより、医師の診断が終了した外来患者２の処方箋４のデータが処方箋発行業務用パソコン７へ送られる。（Ｓ１）
処方箋発行業務用パソコン７のＣＲＴに表示された処方内容を確認して印字要求する。（Ｓ２）
処方箋４に記載されている患者２のデータ、薬剤３のデータ、発行日等を項目毎にインデックス１２を付加して順番に並べる。（Ｓ３）
インデックス１２を付加した処方箋４のデータを、処方箋発行業務用パソコン７で二次元バーコード１３に変換する。（Ｓ４）
処方箋４に処方内容と二次元バーコード１３を出力用プリンタ８で印字する。（Ｓ５）
外来患者２は、印字された処方箋４を病院窓口にて受取る。（Ｓ６）
受取った処方箋４を外来患者２は医療機関１の外の薬局３に提出し、受取った薬局３は、処方箋４を二次元バーコードリーダ３１で読み込む。（Ｓ７）
読み込み結果から、発行日は有効期限内（４日以内）か、を確認する。（Ｓ８）
薬局員は、二次元バーコードリーダ３１で読み込んだデータをＣＲＴ表示で確認し、処方箋４の記載内容と相違ないことを確認する。（Ｓ９）
「表示内容は正しいか？」を確認する。（Ｓ１０）
表示内容が正しい場合に、処方箋４の内容をメモリ３４の記録用データべースに転送して保存する。（Ｓ１１）
調剤室内の携帯端末３６に処方箋４のデータを送信する。（Ｓ１２）
薬局３は、携帯端末３６に表示された処方箋４のデータを読取って調剤作業を行う。（Ｓ１３）
携帯端末３６に付属して設けられたバーコードリーダで、薬剤棚３７に添付されたバーコードを読み込み処方箋４のデータに該当する薬剤３か照合する。（Ｓ１４）
照合結果を確認後、薬剤３を処方する。（Ｓ１５）
処方した薬剤３を外来患者２に手渡す。（Ｓ１６）
以上説明したように、上述の実施の形態によれば、医療機関では処方箋に記載された処方箋記載項目と同じ文字情報を二次元バーコード化し、薬局では二次元バーコードを読取るので、正確な情報伝達ができる。したがって、医療機関と薬局とが共通のコード等を使用したシステムの際に発生する変換ミスや、コード変換不能等の問題は発生しない。
【００３１】
また、医療機関と薬局との間で、処方箋の情報にコードを使うシステムを適用すると、医療機関とコード変換ができる薬局が特定されてしまうが、文字情報を用いているので、文字情報は処方箋と同様にすべての医療機関と薬局に共通する情報であり、医療機関と薬局との関係は特定されず、患者は薬局を任意に選択することができる。
【００３２】
また、薬局では入力に処方箋に記載されている二次元バーコードリーダを用いることができるので、窓口業務での入力時間を短縮することができると共に、入力作業を省力化することができる。
【００３３】
また、同様の理由で、従来のようにキー入力で発生していた入力ミスを防止することができる。
【００３４】
また、薬局での窓口業務の時間短縮は、患者に対して早く調剤した薬剤を手渡すことができるので、患者の待ち時間を短縮することができる。
【００３５】
また、患者が提出した処方箋の文字情報と、二次元バーコードの情報との照合をおこなうので、処方箋の偽造や改ざんの発見と防止ができる。
【００３６】
また、処方箋に記録されている二次元バーコードのデータに付加されたインデックスにより、薬局のレセプト処理用パソコンのＣＲＴの表示仕様に合わせて、処方箋のデータを自由に並べ替えることができるので、薬局のやりやすい方法で表示をおこなうことができ、それにより効率的に業務を遂行することができる。
【００３７】
【発明の効果】
本発明によれば、通常の装備のままで、医療機関で処方された処方箋による薬局での業務を、正確で迅速に省力化しておこなうことができる。
【図面の簡単な説明】
【図１】本発明の一実施の形態を示す、患者に対する処方箋と薬剤の大筋の流れを示す模式図。
【図２】医療機関での処方箋を作成するシステムについて説明図。
【図３】院内業務管理用ホストコンピュータの動作説明図。
【図４】（ａ）〜（ｃ）は、処方箋の例。
【図５】薬局の窓口部門の機器の構成を示すブロック図。
【図６】薬局の窓口部門の機器の動作の説明図。
【図７】調剤室内の機器の説明図。
【図８】本発明の薬剤情報処理システムのフロー図。
【符号の説明】
１…医療機関、２…患者、３…薬剤、４…処方箋、５…薬局、６…院内業務管理用ホストコンピュータ、７…処方箋発行業務用パソコン、８…出力プリンタ、１１…処方箋記載項目、１２…インデックス、１３…二次元バーコード、３１…二次元バーコードリーダ、３２…小型パソコン、３３…レセプト処理用パソコン、３４…メモリ、３６…携帯端末、３７…薬剤棚
【図１】
2004318374.tif 000003
【図２】
2004318374.tif 000004
【図３】
2004318374.tif 000005
【図４】
2004318374.tif 000006
【図５】
2004318374.tif 000007
【図６】
2004318374.tif 000008
【図７】
2004318374.tif 000009
【図８】
2004318374.tif 000010